(57)【特許請求の範囲】
【請求項１】
上位装置に対して、親機と子機とからなるコードレス電話装置が複数接続されると共に、前記親機と前記子機との間では、単位通信期間を複数のスロットに分割し、親機から子機への通信と子機から親機への通信のそれぞれにおいて、前記複数のスロットのうちの１つのスロットを用いてＴＤＭＡ（Time Division Multiple Access；時分割多元接続）／ＴＤＤ（Time Division Duplex；時分割複信）方式の無線通信を行うシステムであって、前記コードレス電話装置では、前記親機からの指示に応じて前記子機が通信に使用する空きスロットを探して特定する処理を行う無線通信システムの前記上位装置であって、
自機に接続された複数の前記コードレス電話装置のそれぞれの動作状態を示す情報を記憶する記憶手段と、
複数のコードレス電話装置に対して通知すべき着信が発生した場合に、前記記憶手段の記憶情報に基づいて、着信に応答可能な待ち受け状態の前記コードレス電話装置が複数存在するか否かを判別する判別手段と、
前記判別手段で、着信に応答可能な待ち受け状態の前記コードレス電話装置が複数存在すると判別された場合に、着信に応答可能な待ち受け状態の複数の前記コードレス電話装置への着信の通知タイミングをずらすように制御する制御手段と、
通話に使用するスロットの検索処理の実行タイミングを異ならせる複数のグループごとに、複数の前記コードレス電話装置の識別情報を記憶するグループ記憶手段と
を備え、
前記制御手段は、前記グループ記憶手段で管理されている前記グループ単位に、着信の通知タイミングをずらすように制御することを特徴とする無線通信システムの上位装置。
【請求項２】
請求項１に記載の上位装置であって、
複数の前記コードレス電話装置ごとに、着信回数を記憶する着信回数記憶手段と、
前記着信回数記憶手段の前記コードレス電話装置ごとの前記着信回数に応じて、着信回数の多い前記コードレス電話装置の識別情報を前記グループ記憶手段の優先順位の高いグループに記録するように更新する更新手段と
を備え、
前記制御手段は、優先順位の高いグループから先に着信を通知するように制御することを特徴とする無線通信システムの上位装置。
【請求項３】
上位装置に対して、親機と子機とからなるコードレス電話装置が複数接続されると共に、前記親機と前記子機との間では、単位通信期間を複数のスロットに分割し、親機から子機への通信と子機から親機への通信のそれぞれにおいて、前記複数のスロットのうちの１つのスロットを用いてＴＤＭＡ（Time Division Multiple Access；時分割多元接続）／ＴＤＤ（Time Division Duplex；時分割複信）方式の無線通信を行うシステムであって、前記コードレス電話装置では、前記親機からの指示に応じて前記子機が通信に使用する空きスロットを探して特定する処理を行う無線通信システムの前記上位装置であって、
自機に接続された複数の前記コードレス電話装置のそれぞれの動作状態を示す情報を記憶する記憶手段と、
複数のコードレス電話装置に対して通知すべき着信が発生した場合に、前記記憶手段の記憶情報に基づいて、着信に応答可能な待ち受け状態の前記コードレス電話装置が複数存在するか否かを判別する判別手段と、
前記判別手段で、着信に応答可能な待ち受け状態の前記コードレス電話装置が複数存在すると判別された場合に、着信に応答可能な待ち受け状態の複数の前記コードレス電話装置への着信の通知タイミングをずらすように制御する制御手段と、
複数の前記コードレス電話装置から発信要求が発生した場合に、発信要求を発生させた前記複数のコードレス電話装置への空きスロットの検索指示の提供タイミングずらすように制御する第２の制御手段と
を備えることを特徴とする無線通信システムの上位装置。
【請求項４】
請求項１、請求項２または請求項３のいずれかに記載の上位装置であって、
前記制御手段は、複数の前記コードレス電話装置の前記親機が、着信通知を受けた場合に、前記コードレス電話装置において行われる空きスロットの検索処理の実行間隔以上、着信の前記通知タイミングをずらすことを特徴とする無線通信システムの上位装置。
【発明の詳細な説明】
【技術分野】
【０００１】
この発明は、ＴＤＭＡ（Time Division Multiple Access；時分割多元接続）／ＴＤＤ（Time Division Duplex；時分割複信）方式が適用されたデジタルコードレス電話装置を含んで構成される無線通信システムで用いられる上位装置に関する。
【背景技術】
【０００２】
近年、主装置やＳＩＰサーバなどの上位装置（通信制御装置）に対して、親機と子機とが無線接続されるコードレス電話装置を接続して構成するビジネスホンシステム（ボタン電話システム）が提供されるようになってきている。コードレス電話装置を構成する親機と子機との間では、ＤＥＣＴ（Digital Enhanced Cordless Telecommunication）規格の通信方式が用いられている場合が多くなってきている。ＤＥＣＴ規格においては、親機から子機へのダウンリンクでの通信方式は時分割多重方式を使用する時分割複信方式であること、子機から親機へのアップリンクの通信方式は時分割多元接続方式であることが定められている。また、ＤＥＣＴ規格において、使用周波数帯は、従来のコードレス電話装置の場合の「２．４ＧＨｚ帯」とは異なる「１．９ＧＨｚ帯」を使用すること、チャンネル数は、最大５チャンネルであることなどが定められている。
【０００３】
また、ＤＥＣＴ規格では、特許文献１などに開示されているように、符号化データの１チャンネルにおける１フレームは１０ミリ秒（ｍｓ）であり、図１２（Ａ）に示すように、２４タイムスロットに分割されている。なお、以下においては、タイムスロットを単にスロットと記載する。そして、１フレームの前半の１／２フレーム期間の１２スロットＳ０〜Ｓ１１は、親機から子機へのダウンリンクに用いられ、後半の１／２フレーム期間の１２スロットＳ１２〜Ｓ２３は、子機から親機へのアップリンクに用いられる。
【０００４】
ＤＥＣＴ規格においては、隣接スロットを使用する場合のＰＬＬ（Phase locked Loop）シンセサイザのロックアップタイムなどを考慮して、一般的には、使用中のスロットと隣接するスロットは空けて、一つ置きのスロットを用いて無線通信を行う。なお、ロックアップタイムは、周波数を設定してからＰＬＬによる位相制御が完了するまでの時間を意味する。したがって、ＤＥＣＴ規格のコードレス電話装置で通話を行うには、図１２（Ｂ）に示すように、ダウンリンクでは、一つ置きのスロットＳ０，Ｓ２，Ｓ４，Ｓ６，Ｓ８，Ｓ１０の６スロットを用いる。また、アップリンクでは、一つ置きのスロットＳ１２，Ｓ１４，Ｓ１６，Ｓ１８，Ｓ２０，Ｓ２２の６スロットを用いる。このため、１チャンネルでは、最大で６通話分しか同時に通話できない構成になっている。
【先行技術文献】
【特許文献】
【０００５】
【特許文献１】特表２００１−５１０９７２号公報
【発明の概要】
【発明が解決しようとする課題】
【０００６】
ビジネスホンシステムで用いられるＤＥＣＴ規格のコードレス電話装置においては、電源がオフの状態でなければ、待機状態（アイドル状態）で１台のコードレス電話装置が１２スロット中の１スロットを使用して、親機と子機との間の制御信号等の送受を可能にしている。この時のスロットをダミーベアラという。この状態から、例えば着信があり、上位装置から親機に対して着信が通知されると、親機はダミーベアラを使用して子機にデータセッション接続要求等を通知し、子機が空きスロットをサーチして、通話に使用するスロットの取得を試みる。スロットが取得できれば、その取得したスロットを用いて通話を行うことが可能となる。このように、通信を開始するためにサーチして取得したスロットをトラフィックベアラという。
【０００７】
ビジネスホンシステムでは、上位装置に対して、１つのチャンネルを共用する同じグループに複数のコードレス電話装置が収容される場合がある。このような場合には、一斉着信やグループ着信のように、１つのチャンネルを共用する複数のコードレス電話装置に対して同時に着信通知が行われる場合がある。このとき、着信通知を受けた全てのコードレス電話装置が、上位装置からの着信通知に応じたタイミングで、すなわち同タイミングで空きスロットのサーチを行い、通信に用いるトラフィックベアラを取得しようとする。ＤＥＣＴ規格のコードレス電話装置においては、上述したように、１チャンネルにおける使用可能なスロット数は決まっており、ダミーベアラも使用されているため、空きスロットは限られる。このため、複数のコードレス電話装置が空きスロットのサーチを一斉に開始した場合、複数のコードレス電話装置が同じ空きスロットを取得しようとする場合が発生する。
【０００８】
このとき、１台のコードレス電話装置は空きスロットを取得できるが、それ以外のコードレス電話装置は、リトライという形で再度の空きスロットのサーチ処理をすることになる。しかしながら、リトライ時も複数のコードレス電話装置がほぼ同じタイミングでリトライを行った場合には、前回のサーチ時と同様に、複数のコードレス電話装置が取得しようとする空きスロットが被ってしまう可能性がある。このため、何度もリトライを繰り返し、着信通知が遅れてしまうことが考えられる。また、最悪の場合にはリトライの設定回数の上限を超えてしまい、着信が通知されないコードレス電話装置が発生してしまう可能性があると考えられる。
【０００９】
以上のことに鑑み、この発明は、いわゆるＤＥＣＴ規格のコードレス電話装置を用いて構成されるビジネスホンシステムにおいて、上記問題点を一層し、コードレス電話装置を通じての通信を、常時、適切かつ確実に行えるようにすることを目的とする。
【課題を解決するための手段】
【００１０】
上記課題を解決するため、請求項１に記載の発明の無線通信システムの上位装置は、
上位装置に対して、親機と子機とからなるコードレス電話装置が複数接続されると共に、前記親機と前記子機との間では、単位通信期間を複数のスロットに分割し、親機から子機への通信と子機から親機への通信のそれぞれにおいて、前記複数のスロットのうちの１つのスロットを用いてＴＤＭＡ（Time Division Multiple Access；時分割多元接続）／ＴＤＤ（Time Division Duplex；時分割複信）方式の無線通信を行うシステムであって、前記コードレス電話装置では、前記親機からの指示に応じて前記子機が通信に使用する空きスロットを探して特定する処理を行う無線通信システムの前記上位装置であって、
自機に接続された複数の前記コードレス電話装置のそれぞれの動作状態を示す情報を記憶する記憶手段と、
複数のコードレス電話装置に対して通知すべき着信が発生した場合に、前記記憶手段の記憶情報に基づいて、着信に応答可能な待ち受け状態の前記コードレス電話装置が複数存在するか否かを判別する判別手段と、
前記判別手段で、着信に応答可能な待ち受け状態の前記コードレス電話装置が複数存在すると判別された場合に、着信に応答可能な待ち受け状態の複数の前記コードレス電話装置への着信の通知タイミングをずらすように制御する制御手段と、
通話に使用するスロットの検索処理の実行タイミングを異ならせる複数のグループごとに、複数の前記コードレス電話装置の識別情報を記憶するグループ記憶手段と
を備え、
前記制御手段は、前記グループ記憶手段で管理されている前記グループ単位に、着信の通知タイミングをずらすように制御することを特徴とする。
【００１１】
この請求項１に記載の発明の無線通信システムの上位装置によれば、当該上位装置には、いわゆるＤＥＣＴ規格の通信方式を採用したコードレス電話装置が複数接続されている。当該上位装置においては、記憶手段により、自機に接続された複数のコードレス電話装置のそれぞれの動作状態を示す情報が管理されている。そして、複数のコードレス電話装置に対して通知すべき着信が発生すると、判別手段は、記憶装置の記憶情報に基づいて、着信に応答可能な待ち受け状態のコードレス電話装置が複数存在するか否かを判別する。判別手段が、着信に応答可能な待ち受け状態のコードレス電話装置が複数存在すると判別した場合には、制御手段は、着信の通知対象となる着信に応答可能な待ち受け状態の複数のコードレス電話装置に対する着信の通知タイミングをずらすように制御する。当該上位装置は、グループ記憶手段が、通話に使用するスロットの検索処理の実行タイミングを異ならせる複数のグループごとに、複数の前記コードレス電話装置の識別情報を記憶している。このため、当該制御手段は、当該グループ記憶手段で管理されているグループ単位に、着信の通知タイミングをずらすように制御する。
【００１２】
このように、一斉着信やグループ着信などの複数のコードレス電話装置に対して通知すべき着信が発生した場合に、着信に応答可能な待ち受け状態の複数のコードレス電話装置への着信の通知タイミングがずらすように制御される。これにより、着信に応答可能な待ち受け状態の複数のコードレス電話装置が、一斉に空きスロットのサーチを開始する状況を回避することができるので、空きスロットのサーチ処理のリトライ回数を効果的に少なくすることができる。これにより、コードレス電話装置を複数収容して構成されるビジネスホンシステムにおいて、コードレス電話装置を通じての通信を、常時、適切かつ確実に行うことができるようにされる。
【００１３】
なお、この明細書において、「一斉着信」は、上位装置に収容された全てのコードレス電話装置などの端末に対して着信を通知すべき着信を意味する。また、「グループ着信」は、上位装置の所定のチャンネルに接続された複数のコードレス電話装置などの端末に対して着信を通知すべき着信を意味する。
【発明の効果】
【００１４】
この発明によれば、いわゆるＤＥＣＴ規格のコードレス電話装置を用いて構成されるビジネスホンシステムにおいて、コードレス電話装置を通じての通信を、常時、適切かつ確実に行える。
【図面の簡単な説明】
【００１５】
【図１】この発明による無線通信システムの実施形態の全体の概要を説明するためのブロック図である。
【図２】この発明による無線通信システムの実施形態の一部を構成する主装置の詳細構成例を示すブロック図である。
【図３】この発明による無線通信システムの実施形態の一部を構成する親機の詳細構成例を示すブロック図である。
【図４】この発明による無線通信システムの実施形態の一部を構成する子機の詳細構成例を示すブロック図である。
【図５】端末管理テーブル部１４が備える３つのテーブルの具体例を説明するための図である。
【図６】コードレス電話装置２１〜２ｎにおいて、着信通知時などに行われる空きスロットのサーチ処理とマージ処理について説明するための図である。
【図７】図６（Ｅ）に示した場合の処理の詳細を説明するための図である。
【図８】コードレス電話装置が属するグループごとに空きスロットのサーチ処理の開始タイミングを異ならせる場合の具体例を説明するための図である。
【図９】図８（Ｂ）で説明した処理のシーケンス図である。
【図１０】端末グループ管理テーブル１４Ｃの更新処理の具体例について説明するための図である。
【図１１】主装置１で実行される一斉着信時の処理について説明するためのフローチャートである。
【図１２】ＤＥＣＴ規格のスロットについて説明するための図である。
【発明を実施するための形態】
【００１６】
以下、図を参照しながら、この発明のシステム、装置、方法、プログラムの一実施の形態について説明する。以下に説明する実施の形態においては、この発明を例えば会社などの構内に設けられるビジネスホンシステムと呼ばれる電話システムに適用した場合を例にして説明する。
【００１７】
［無線通信システムの構成例；図１］
図１は、この発明による無線通信システムの実施形態としての電話システム１０の全体の構成例を示すブロック図である。この例の電話システム１０においては、上位装置の例としての主装置１に対して、内線電話装置として、複数のコードレス電話装置２１，２２，・・・，２ｎ（ｎは２以上の整数。以下同じ）が接続されている。コードレス電話装置２１〜２ｎのそれぞれは、親機としてのベースセットＢＳ１，ＢＳ２，・・・，ＢＳｎのそれぞれと、子機としてのハンドセットＨＳ１，ＨＳ２，・・・，ＨＳｎのそれぞれとからなり、親機ＢＳ１〜ＢＳｎのそれぞれと、子機ＨＳ１〜ＨＳｎのそれぞれとは、無線接続される。なお、この明細書においては、コードレス電話装置２１〜２ｎのそれぞれを単に端末という場合もある。
【００１８】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置２１，２２，・・・，２ｎのみではなく、通常のビジネスホンと同様に、デジタルボタン電話端末も接続することも可能である。
【００１９】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行うようにしている。
【００２０】
主装置１は、１又は複数の電話回線Ｌ１〜Ｌｍ（ｍは１以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。
【００２１】
主装置１は、複数のコードレス電話装置２１〜２ｎについての呼制御及び回線交換制御、その他のビジネスホンとしての制御を行うと共に、基準同期信号ＳＹＮＣを複数のコードレス電話装置２１〜２ｎのそれぞれに供給する機能を備えている。基準同期信号ＳＹＮＣは、この例では、１３０ミリ秒（ｍｓ）周期の信号とされている。
【００２２】
また、主装置１は、後述もする端末管理部として機能する制御回路１２と、複数種類の管理テーブルを備えた端末管理テーブル部１４とを備えている。端末管理部として機能する制御回路１２は、詳しくは後述するが、主装置１に収容されたコードレス電話装置２１〜２ｎに対する通話に用いるスロットのサーチタイミングなどを制御することができるものである。端末管理テーブル部１４は、主装置１に接続されている（収容されている）コードレス電話装置２１〜２ｎからの情報に基づいて、各コードレス電話装置２１〜２ｎに関する情報を管理する。なお、端末管理テーブル部１４の詳細について後述する。
【００２３】
コードレス電話装置２１〜２ｎの親機ＢＳ１〜ＢＳｎのそれぞれは、主装置１からの基準同期信号ＳＹＮＣに同期して、ＤＥＣＴ規格のデジタルコードレス電話の単位通信期間である１フレーム（１０ミリ秒（ｍｓ））の周期の同期信号としてのフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。したがって、複数のコードレス電話装置２１〜２ｎの全ては、主装置１からの基準同期信号ＳＹＮＣに同期した動作をする。
【００２４】
親機ＢＳ１〜ＢＳｎのそれぞれは、基準同期信号ＳＹＮＣに基づいて、フレーム同期信号を生成し、その生成したフレーム同期信号に基づいて、子機ＨＳ１〜ＨＳｎとの間で、１フレーム期間の複数のスロットの例えば一つ置きのスロットの内の一つを用いて無線通信を行うように制御する。
【００２５】
［主装置１の構成例；図２］
図２は、主装置１の構成例を示すブロック図である。図２に示すように、主装置１は、電話回線Ｌ１〜Ｌｍが接続される回線インターフェース１１と、コンピュータを搭載して、主装置１の全体を制御するための制御回路１２と、回線ＬＳＩ（Large  Scale  Integrated  Circuit）部１３と、端末管理テーブル部１４と、基準発振器１５とを備えて構成されている。この実施の形態の主装置１の制御回路１２は、主装置１に接続されたコードレス電話装置の例えば着信の通知タイミングなど、コードレス電話装置の動作タイミングなどを管理する端末管理部としての機能を有する。
【００２６】
回線インターフェース１１は、制御回路１２からの制御により、回線Ｌ１〜Ｌｎからの音声信号（受話音声信号）は、回線ＬＳＩ部１３に供給し、回線からの呼制御信号などの制御信号は、制御回路１２に供給する。また、回線インターフェース１１は、制御回路１２からの制御により、回線ＬＳＩ部１３からの音声信号（送話音声信号）は、回線Ｌ１〜Ｌｍを通じて相手方に送信し、制御回路１２からの呼制御信号などの制御信号も、回線Ｌ１〜Ｌｍを通じて相手方に送信する。
【００２７】
回線ＬＳＩ部１３は、ｎ個の内線電話装置に対応して、ｎ個の内線処理回路１３１，１３２，・・・，１３ｎと、タイミング信号生成部１３０を備える。
【００２８】
タイミング信号生成部１３０には、水晶振動子を用いた高精度の基準発振器１５からの基準クロック信号から伝送用クロック信号ＣＫ及び多重化／分割化用タイミング信号ＴＭを生成し、ｎ個の内線処理回路１３１〜１３ｎに供給する。
【００２９】
ｎ個の内線処理回路１３１〜１３ｎは、全く同一の構成を備えるもので、それぞれ、音声信号処理部３１と、制御信号処理部３２と、同期信号処理部３３と、多重化／分割化処理部３４とからなる。
【００３０】
音声信号処理部３１は、回線インターフェース１１に接続されると共に、多重化／分割化処理部３４に接続されており、回線インターフェース１１からの受話音声信号及び多重化／分割化処理部３４からの送話音声信号の処理回路である。この音声信号処理部３１には、タイミング信号生成部１３０からの伝送用クロック信号ＣＫが供給されている。
【００３１】
制御信号処理部３２は、制御回路１２の制御信号入出力端に接続されると共に、多重化／分割化処理部３４に接続されており、発信時及び着信時、また、終話時などにおける呼制御信号などの制御信号（主装置１からコードレス電話装置への制御信号と、コードレス電話装置から主装置１への制御信号の両方）の処理回路である。この制御信号処理部３２にも、タイミング信号生成部１３０からの伝送用クロック信号ＣＫが供給されている。
【００３２】
同期信号処理部３３は、制御回路１２の同期信号出力端に接続されると共に、多重化／分割化処理部３４に接続されており、制御回路１２からの所定の同期信号パターンを有する基準同期信号ＳＹＮＣの処理回路である。この同期信号処理部３３にも、同様に、タイミング信号生成部１３０からの伝送用クロック信号ＣＫが供給されている。
【００３３】
多重化／分割化処理部３４は、音声信号処理部３１、制御信号処理部３２、同期信号処理部３３に接続されると共に、コードレス電話装置２１〜２ｎの親機ＢＳ１〜ＢＳｎのそれぞれに接続される。そして、多重化／分割化処理部３４は、タイミング信号生成部１３０からのタイミング信号ＴＭに基づいて、音声信号処理部３１からの音声信号と、制御信号処理部３２からの制御信号と、同期信号処理部３３からの基準同期信号ＳＹＮＣとを多重化（時分割多重）して多重化信号を生成し、その生成した多重化信号を親機ＢＳ１〜ＢＳｎのそれぞれに供給する。また、多重化／分割化処理部３４は、タイミング信号生成部１３０からのタイミング信号ＴＭに基づいて、親機ＢＳ１〜ＢＳｎのそれぞれからの多重化信号を音声信号と制御信号とに分割して、音声信号は音声信号処理部３１に、制御信号は制御信号処理部３２に、それぞれ供給する。
【００３４】
端末管理テーブル部１４は、不揮発性メモリにより構成され、主装置１に接続されている（収容されている）コードレス電話装置２１〜２ｎに関する情報を管理する。図５は、端末管理テーブル部１４が備える３つのテーブルの具体例を説明するための図である。図５に示すように、端末管理テーブル部１４には、端末動作状態管理テーブル１４Ａ（図５（Ａ））と、端末別応答回数テーブル１４Ｂ（図５（Ｂ））と、端末グループ管理テーブル１４Ｃ（図５（Ｃ））とが設けられている。
【００３５】
親機ＢＳ１〜ＢＳｎのそれぞれは、自機の動作状態が変わるごとに、主装置１に通知する機能を有する。このため、端末動作状態管理テーブル１４Ａには、端末管理部としての制御回路１２により、リアルタイムにコードレス電話装置（端末）ごとに現在の動作状態が更新される。図５（Ａ）に示した端末動作状態管理テーブル１４Ａは、コードレス電話装置２１は使用中であるが、その他のコードレス電話装置２２〜２４は待機状態であることが管理されている場合を示している。この端末動作状態管理テーブル１４Ａの情報により、着信を通知すべき待機状態のコードレス電話装置が何台あるかなどが瞬時に判断できる。
【００３６】
端末別応答回数テーブル１４Ｂには、端末管理部としての制御回路１２により、端末ごとに、今までに着信に応答した回数が累積的に更新される。この更新も、親機ＢＳ１〜ＢＳｎのそれぞれからの、自機の動作状態を示す情報の主装置１への通知に基づいて行われる。図５（Ｂ）に示した端末別応答回数テーブル１４Ｂでは、コードレス電話装置２１では５回、コードレス電話装置２２では４回、コードレス電話装置２３では３回、コードレス電話装置２４では２回、それぞれ着信に応答したことが管理されている。これにより、どのコードレス電話装置が着信応答によく用いられているのかが判別できる。
【００３７】
また、端末グループ管理テーブル１４Ｃには、端末管理部としての制御回路１２により、図５（Ｂ）に示した端末別応答回数テーブル１４Ｂの情報に基づいて、着信に応答した回数の多い端末グループと少ない端末グループに分けられるようにされている。図５（Ｃ）に示した端末グループ管理テーブル１４Ｃでは、図５（Ｂ）に示した端末別応答回数テーブルの情報に基づいて、相対的に応答回数の多いコードレス電話装置２１，２２がグループ１を構成し、相対的に応答回数の少ないコードレス電話装置２３、２４がグループ２を構成することが管理されている。この端末グループ管理テーブル１４Ｃで管理される端末のグループは、詳しくは後述もするが、着信通知のタイミングを異ならせるグループとなる。なお、図５（Ｃ）において、グループ１はグループ２よりも優先順位が高いものとする。
【００３８】
このような端末管理テーブル部１４を備えることにより、主装置１は、例えば、着信時に、着信を通知すべき待機状態のコードレス電話装置が複数存在する場合には、着信の通知タイミングをずらすように制御することができるようにしている。着信を通知すべき待機状態のコードレス電話装置が複数存在する場合に、それらの複数のコードレス電話装置に一斉に着信を通知した場合には、空きスロットのサーチ処理において、取得対象の空きスロットが被る（重複する）おそれがあるからである。
【００３９】
なお、図示しないが、主装置１には、アドレス管理部も接続されている。アドレス管理部は、主装置１に接続されているコードレス電話装置２１〜２ｎの内線番号と内線処理回路１３１〜１３ｎのそれぞれとの対応を記憶管理する。この実施形態の電話システム１０においては、主装置１にコードレス電話装置２１〜２ｎのいずれかが接続された時に、そのコードレス電話装置の親機は、主装置１に対して接続要求を送る。
【００４０】
主装置１は、そのコードレス電話装置の親機からの接続要求を制御信号として受けた内線処理回路が内線処理回路１３１〜１３ｎの内のいずれであるかを検知することにより、コードレス電話装置が接続された内線処理回路を検知する。そして、制御回路１２は、設置工事者や管理者等により設定された内線番号、あるいは自動的に設定された内線番号と、コードレス電話装置が接続された内線処理回路の識別情報とを対応付けてアドレス管理部に登録する。
【００４１】
このアドレス管理部の情報に基づいて、主装置１に接続されたコードレス電話装置の動作状況などを適切に把握することができると共に、主装置１に接続されたコードレス電話装置のそれぞれを適切に制御できる。
【００４２】
［コードレス電話装置の構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００４３】
＜親機の構成例；図３＞
図３は、親機ＢＳ１の構成例を示すブロック図である。この図３に示すように、親機ＢＳ１は、親機ＢＳ１の全体を制御するための制御回路４１と、回線ＬＳＩ部４２と、同期信号発生回路４３と、無線通信回路４４と、発振器４５及び４６とを備えて構成されている。
【００４４】
制御回路４１は、コンピュータを搭載して構成されている。そして、制御回路４１は、この親機ＢＳ１における呼制御などの制御を行う機能を備える。
【００４５】
回線ＬＳＩ部４２は、主装置１との間で音声信号、制御信号及び同期信号のやり取りをするための回路であり、分割化／多重化処理部４２１と、制御信号処理部４２２と、音声信号処理部４２３と、同期信号検出部４２４と、ＰＬＬ（Phase  locked  Loop）部４２５とからなる。
【００４６】
ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。
【００４７】
ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００４８】
そして、ＰＬＬ部４２５は、生成したシステムクロック信号ＳＣＫを分割化／多重化処理部４２１、制御信号処理部４２２、音声信号処理部４２３、同期信号検出部４２４のそれぞれに、信号処理用クロック信号として供給すると共に、同期信号発生回路４３に供給する。
【００４９】
分割化／多重化処理部４２１は、主装置１に接続されると共に、制御信号処理部４２２、音声信号処理部４２３、同期信号検出部４２４に接続される。そして、分割化／多重化処理部４２１は、主装置１からの多重化信号から制御信号と音声信号と基準同期信号ＳＹＮＣを分割して、制御信号は制御信号処理部４２２に、音声信号は音声信号処理部４２３に、基準同期信号ＳＹＮＣは同期信号検出部４２４に、それぞれ供給する。
【００５０】
また、分割化／多重化処理部４２１は、制御信号処理部４２２からの制御信号と、音声信号処理部４２３からの音声信号とを多重化して多重化信号を生成し、その生成した多重化信号を主装置１に供給する。
【００５１】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００５２】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００５３】
同期信号検出部４２４は、分割化／多重化処理部４２１からの基準同期信号ＳＹＮＣを受けて、当該基準同期信号ＳＹＮＣが備える所定の同期信号パターンを検出することで、その検出時点の信号として、基準同期信号ＳＹＮＣと同期する、基準同期信号ＳＹＮＣと同一周期（１３０ｍｓ）の基準同期パルスＰＳを発生する。そして、同期信号検出部４２４は、発生した基準同期パルスＰＳを同期信号発生回路４３に供給する。
【００５４】
同期信号発生回路４３は、カウンタ４３１と、同期信号生成部４３２とからなる。カウンタ４３１には、回線ＬＳＩ部４２の同期信号検出部４２４からの１３０ｍｓの周期の基準同期パルスＰＳがプリセット端子に供給されると共に、ＰＬＬ部４２５からのシステムクロック信号ＳＣＫがカウント入力として供給される。そして、このカウンタ４３１の出力カウント値ＣＮＴが同期信号生成部４３２に供給される。
【００５５】
同期信号生成部４３２は、カウンタ４３１の出力カウント値ＣＮＴから、ＤＥＣＴ規格のフレーム周期（１０ｍｓ）の同期信号ＦＬを発生する。同期信号発生回路４３は、同期信号生成部４３２で生成したフレーム同期信号ＦＬを無線通信回路４４に供給する。
【００５６】
次に、無線通信回路４４について説明する。この実施形態では、無線通信回路４４は、ＤＥＣＴ規格の無線通信を行うための汎用の親機用無線通信ＬＳＩを用いている。この無線通信回路４４は、制御部４４１と、ＴＤＭＡ変復調部４４２と、無線通信部４４３とを備えて構成されている。無線通信部４４３は、子機ＨＳ１との間で、無線通信を行うための回路部である。
【００５７】
制御部４４１は、ＴＤＭＡ変復調部４４２及び無線通信部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００５８】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００５９】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００６０】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。
【００６１】
ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。
【００６２】
ＴＤＭＡ変復調部４４２は、フレーム同期信号ＦＬに同期するタイミング信号及びクロック信号を用いて、割り当て使用可能となるダウンリンクでのスロットに相当する期間で子機ＨＳ１への送信信号を生成すると共に、アップリンクでのスロットを用いて、子機ＨＳ１からの受信信号の処理を行うようにする。
【００６３】
なお、通常、親機ＢＳ１は、主装置１に接続されて、前述したように、子機ＨＳ１との通信のための同期処理を開始し、常に、ダミーベアラを通じて子機ＨＳ１との間で通信が可能な状態を維持している。すなわち、親機ＢＳ１の無線通信回路４４の制御部４４１は、ＴＤＭＡ変復調部４４２で生成した送信信号を、自親機に設定された１つのスロットを用いて、無線通信部４４３を通じて子機ＨＳ１に送り、当該子機ＨＳ１から応答が返って来た時に、送信信号を送信するために用いたスロットをダウンリンク用として用い、子機ＨＳ１からの応答を受信したスロットをアップリンク用として同期を確立して、送受信を行うように制御する。
【００６４】
また、親機ＢＳ１は、着信が通知された場合に、これを子機ＨＳ１に送る。子機ＨＳ１は、着信の通知を受信すると、空きスロットのサーチ処理を行って、通信に用いるスロット（トラフィックベアラ）を特定し、親機ＢＳ１に通知して、当該取得したスロットを用いて、親機ＢＳ１と子機ＨＳ１との間を接続して、通話を行える状態を形成でできるようにしている。
【００６５】
＜子機の構成例；図４＞
図４は、子機ＨＳ１の構成例を示すブロック図である。図４に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００６６】
無線通信回路５１は、ＤＥＣＴ規格の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【００６７】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００６８】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。
【００６９】
また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００７０】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００７１】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００７２】
なお、制御回路５２は、この子機ＨＳ１からの発呼時には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。
【００７３】
また、無線通信回路５１の制御部５１１は、自機に対応する親機ＢＳ１からの制御信号に応じてＴＤＭＡ変復調部５１２を制御し、ダウンリンクとアップリンクとで、通信に用いるスロットをサーチして特定し、受信／送信の処理を行うことができるようにしている。すなわち、待ち受け時において、親機ＢＳ１と子機ＨＳ１とは、ダウンリンクとアップリンクとにおいて予め決められる１つのスロット（ダミーベアラ）を通じて制御信号の送受ができるようにしている。
【００７４】
そして、例えば、一斉着信が発生し、主装置１からの着信通知が親機ＢＳ１を介して子機ＨＳ１に通知されると、子機ＨＳ１では空きスロットのサーチ処理を行って、通話に用いる空きスロットを取得する。そして、子機ＨＳ１は、親機ＢＳ１と協働し、取得した空きスロットをトラフィックベアラとして用いて、通話を行うことができるようにしている。
【００７５】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００７６】
［着信通知時の空きスロットのサーチ処理とマージ処理］
次に、この実施形態のコードレス電話装置２１〜２ｎにおいて、例えば、着信通知時に行われる空きスロットのサーチ処理とマージ処理について具体的に説明する。図６は、この実施形態のコードレス電話装置２１〜２ｎにおいて、着信通知時などに行われる空きスロットのサーチ処理とマージ処理について説明するための図である。
【００７７】
なお、ＤＥＣＴ規格の通信方式においては、図１２を用いて説明したように、１フレーム中に親機から子機への通信を行うダウンリンクと、子機から親機への通信を行うアップリンクが設けられる。しかし、ダウンリンクのスロットとアップリンクのスロットとは、例えば、ダウンリンクのスロットＳ０とアップリンクのスロットＳ１２とが対で使用されるというように、必ず対で使用される。このため、以下においては、説明を簡単にするため、アップリンクでのサーチ処理とマージ処理を例にして説明する。
【００７８】
まず、主装置１に対して１台のコードレス電話装置２１だけが収容されている場合を考える。そして、図６（Ａ）に示すように、コードレス電話装置２１がスロットＳ１２をダミーベアラとして用いるようにして待機状態にあったとする。主装置１に対してコードレス電話装置２１しか接続されていない状態なので、スロットＳ１４、Ｓ１６、Ｓ１８、Ｓ２０、Ｓ２２は空きスロットになっている。
【００７９】
この場合に、コードレス電話装置２１に着信通知があると、コードレス電話装置２１の子機ＨＳ１は、スロットのサーチ処理を行う。このサーチ処理がアップリンクの先頭側（スロットＳ１２側）から順にサーチする処理である場合、図６（Ａ）において矢印で示したように、空きスロットＳ１４を取得するスロットとして特定する。そして、子機ＨＳ１においては、図６（Ｂ）に示すように、空きスロットＳ１４をコードレス電話装置２１用のトラフィックベアラとして取得する。しかし、この場合、図６（Ｂ）に示すように、使用しなくなるダミーベアラのスロットＳ１２を確保したままとすると、スロットＳ１２とスロットＳ１４がコードレス電話装置２１により占有された状態となる。このような状態は、複数のコードレス電話装置が主装置１に収容されている場合には、トラフィックベアラの選択余地を狭めてしまう。
【００８０】
このため、この実施形態のコードレス電話装置２１〜２ｎにおいては、図６（Ｃ）に示すように、トラフィックベアラ取得後、即座にそれまで占有していたダミーベアラを解放する。このように、トラフィックベアラ取得後、即座にダミーベアラを解放し、親機と子機との間で通信に用いるスロットを１つのスロットに合併する（統一する）処理を、この明細書では、マージ処理という。
【００８１】
次に、図６（Ｄ）に示すように、４台のコードレス電話装置２１，２２，２３，２４が主装置１に収容されている場合を考える。この場合、図６（Ｄ）に示すように、コードレス電話装置２１はスロットＳ１２を、コードレス電話装置２２はスロットＳ１４を、コードレス電話装置２３はスロットＳ１８を、コードレス電話装置２４はスロットＳ２０をそれぞれダミーベアラとして占有しているものとする。したがって、空きスロットは、スロットＳ１６とスロットＳ２２ということになる。
【００８２】
そして、コードレス電話装置２１，２２，２３，２４のそれぞれが待機状態にあるときに、一斉着信が発生したとする。この場合、主装置１が、コードレス電話装置２１，２２，２３，２４のそれぞれ対して一斉に着信を通知すると、コードレス電話装置２１，２２，２３，２４の子機ＨＳ１，ＨＳ２，ＨＳ３，ＨＳ４は一斉に空きスロットのサーチ処理を開始する。この場合、図６（Ｅ）に示すように、コードレス電話装置２１，２２，２３，２４の子機ＨＳ１，ＨＳ２，ＨＳ３，ＨＳ４は、同じ空きスロットＳ１６を取得しようとする可能性が高い。この場合、コードレス電話装置２１，２２，２３，２４のいずれか１つは、空きスロットＳ１６をトラフィックベアラとして取得できるが、他の３つのコードレス電話装置はトラフィックベアラを取得できずリトライ処理を行うことになる。
【００８３】
なお、この実施形態の無線電話システムのコードレス電話装置２１〜２ｎのそれぞれは、上述したように、マージ処理を行うことにより、スロットの効率的な利用を図ることができる。しかし、トラフィックベアラの取得時には、親機と子機の通信が確立するまで一時的にダミーベアラとトラフィックベアラの２スロットを使用する状態になる。つまり、１台のコードレス電話装置で２スロットを使用する状態が発生する。このため、ごく限られた時間ではあるものの、空きスロットの数が少なくなる場合がある。
【００８４】
図７は、図６（Ｅ）に示した場合の詳細を説明するための図である。図７（Ａ）は、図６（Ｅ）と同様の図であり、コードレス電話装置２１，２２，２３，２４の子機ＨＳ１，ＨＳ２，ＨＳ３，ＨＳ４が、同じ空きスロットＳ１６を取得しようとして衝突した場合を示している。この場合の無線通信システムにおいて行われる処理を図７（Ｂ）に示している。
【００８５】
すなわち、最初の衝突（衝突１）が発生した場合に、例えば、コードレス電話装置２１が空きスロットＳ１６をトラフィックベアラとして取得できたとする。この場合、コードレス電話装置２２，２３，２４の３台は、トラフィックベアラの取得に失敗したことになる。しかし、コードレス電話装置２１がトラフィックベアラを取得したことにより、スロットのマージ処理が行われ、コードレス電話装置２１がダミーベアラとして使用していたスロットＳ１２は空きスロットになる。
【００８６】
次に、トラフィックベアラを取得できなかったコードレス電話装置２２，２３，２４の子機ＨＳ２，ＨＳ３，ＨＳ４は、上述したように、主装置１からのタイミング信号に応じたタイミングで、空きスロットのサーチ処理を行う。この場合にも、コードレス電話装置２２，２３，３４の子機ＨＳ２，ＨＳ３，ＨＳ４は、ほぼ同じタイミングで空きスロットのサーチ処理を行うので、２回目の衝突（衝突２）を発生させる。しかし、１台のコードレス電話装置はトラフィックベアラを取得できる。
【００８７】
ここでは、図７（Ｂ）に示すように、コードレス電話装置２２が例えば空きスロットＳ１２をトラフィックベアラとして取得できたとする。この場合、コードレス電話装置２３，２４の２台は、トラフィックベアラの取得に失敗したことになる。しかし、コードレス電話装置２２がトラフィックベアラを取得したことにより、スロットのマージ処理が行われ、コードレス電話装置２２がダミーベアラとして使用していたスロットＳ１４は空きスロットになる。
【００８８】
次に、トラフィックベアラを取得できなかったコードレス電話装置２３，２４の子機ＨＳ３，ＨＳ４は、上述したように、主装置１からのタイミング信号に応じたタイミングで、空きスロットのサーチ処理を行う。この場合にも、コードレス電話装置２３，２４の子機ＨＳ３，ＨＳ４は、ほぼ同じタイミングで空きスロットのサーチ処理を行うので、３回目の衝突（衝突３）を発生させる。しかし、１台のコードレス電話装置はトラフィックベアラを取得できる。
【００８９】
ここでは、図７（Ｂ）に示すように、コードレス電話装置２３が例えば空きスロットＳ１４をトラフィックベアラとして取得できたとする。この場合、コードレス電話装置２４は、トラフィックベアラの取得に失敗したことになる。しかし、コードレス電話装置２３がトラフィックベアラを取得したことにより、スロットのマージ処理が行われ、コードレス電話装置２３がダミーベアラとして使用していたスロットＳ１８は空きスロットになる。
【００９０】
そして、トラフィックベアラを取得できなかったコードレス電話装置２４の子機ＨＳ４は、上述したように、主装置１からのタイミング信号に応じたタイミングで、空きスロットのサーチ処理を行う。この場合には、トラフィックベアラを取得できていないのは、コードレス電話装置２４だけであるので、衝突を発生させることはない。このため、図７（Ｂ）に示すように、コードレス電話装置２４は、例えば空きスロットＳ１８をトラフィックベアラとして取得する。そして、コードレス電話装置２４がトラフィックベアラを取得したことにより、マージ処理が行われ、コードレス電話装置２４がダミーベアラとして使用していたスロットＳ２０は空きスロットになる。
【００９１】
このように、待機状態の４台のコードレス電話装置２１，２２，２３，３４が一斉に空きスロットのサーチ処理を行って、トラフィックベアラを取得しようとすると、３回の衝突を発生させる。このため、４台のコードレス電話装置の全てがトラフィックベアラを取得するためには、３回のリトライ処理が必要になり、最後のコードレス電話装置がトラフィックベアラを取得するまでにはかなりの時間が必要になってしまう。
【００９２】
［コードレス電話装置のグループ分け］
そこで、この実施形態の無線通信システムにおいては、複数のコードレス電話装置を複数のグループに分け、グループごとに空きスロットのサーチ処理の開始タイミングを異ならせるようにしている。図８は、この実施形態の無線通信システムにおいて、複数のコードレス電話装置を複数のグループに分け、グループごとに空きスロットのサーチ処理の開始タイミングを異ならせる場合の具体例を説明するための図である。
【００９３】
ここでも、図８（Ａ）に示すように、図６（Ｄ）に示した場合と同様に、４台のコードレス電話装置２１，２２，２３，２４が主装置１に収容されている場合を考える。この場合、図８（Ａ）に示すように、コードレス電話装置２１はスロットＳ１２を、コードレス電話装置２２はスロットＳ１４を、コードレス電話装置２３はスロットＳ１８を、コードレス電話装置２４はスロットＳ２０をそれぞれダミーベアラとして占有しているとする。したがって、空きスロットは、スロットＳ１６とスロットＳ２２ということになる。
【００９４】
そして、コードレス電話装置２１，２２，２３，２４のそれぞれが待機状態にあるときに、一斉着信が発生したとする。しかし、図８に示す例の場合には、コードレス電話装置２１，２２，２３，２４の子機ＨＳ１，ＨＳ２，ＨＳ３，ＨＳ４が、一斉に同じ空きスロットのサーチ処理を行うのではなく、グループ単位にサーチ処理を行うように、各コードレス電話装置のサーチ処理の開始タイミングを制御する。
【００９５】
この例の場合、主装置１の端末管理テーブル部１４の端末グループ管理テーブルにおいて、図５（Ｃ）に示したように、コードレス電話装置２１，２２がグループ１、コードレス電話装置２３，２４がグループ２というようにグループ分けされているものとする。上述もしたように、グループ１はグループ２よりも優先順位が高いものとする。こ場合、主装置１の端末管理部としての機能を有する制御回路１２は、図５（Ｃ）に示した端末グループ管理テーブル１４Ｃの設定情報に基づいて、最初に優先順位の高いグループ１のコードレス電話装置２１，２２に対して空きスロットのサーチ処理を行うように制御信号を送信する。当該制御信号の形成と送信は、回路ＬＳＩ部１３の該当する制御信号処理部３２が、制御回路１２の制御に応じて行う。
【００９６】
この場合、図８（Ｂ）に示すように、コードレス電話装置２１とコードレス電話装置２２は、ほぼ同じタイミングで空きスロットのサーチ処理を実行するので、最初の衝突（衝突１）は発生する。しかし、いずれか一方のコードレス電話装置は、空きスロットをトラフィックベアラとして取得できる。例えば、図８（Ｂ）に示すように、コードレス電話装置２１が空きスロットをトラフィックベアラとして取得できたとする。この場合、トラフィックベアラを取得できなかったコードレス電話装置２２はリトライ処理を行うことになるが、空きスロットのサーチ処理を行うのは、コードレス電話装置２２だけであるので、衝突を発生させることなく、即座に空きスロットをトラフィックベアラとして取得できる。
【００９７】
そして、主装置１の制御回路１２は、所定の間隔をあけて、優先順位の低いグループ２のコードレス電話装置２３，２４に対して、空きスロットのサーチ処理を行うように制御信号を送信する。この制御信号の形成と送信もまた、回路ＬＳＩ部１３の該当する制御信号処理部３２が、制御回路１２の制御に応じて行う。なお、グループ単位に空きスロットのサーチ処理を開始させるために空ける上記の所定の間隔、すなわち、着信の通知タイミングの間隔は、キャリアセンスの間隔以上とする。この例の場合、キャリアセンスの間隔は、１００ｍｓ（ミリ秒）であるので、グループ１のコードレス電話装置２１，２２に対して、空きスロットのサーチ処理の開始を指示した後、１００ｍｓ後に、グループ２のコードレス電話装置２３，２４に空きスロットのサーチ処理の開始を指示する。
【００９８】
ここで、キャリアセンスは、主装置１に収容されたコードレス電話装置のそれぞれの例えば親機において、自機が使用するチャンネルのスロットの使用状況を把握する処理である。具体的に、コードレス電話装置２１〜２ｎの親機ＢＳ１〜ＢＳｎにおいては、無線通信部４４３からの受信信号の供給を受けて、自機が使用するチャンネルのリンクにおけるスロットの使用状況を検出する。すなわち、親機ＢＳ１〜ＢＳｎにおいては、キャリアセンス部を備え、ＰＬＬ部４４２１からのタイミング信号及びクロック信号を利用して、自機が使用するチャンネルのリンクにおいて、使用されているスロットは幾つあるかを検出できるようになっている。
【００９９】
このキャリアセンスの実行周期が、この実施形態のコードレス電話装置２１〜２ｎでは１００ｍｓとなっているのである。なお、当該所定の間隔は、１００ｍｓに限るものではなく、１００ｍｓ以上の適宜の間隔とすることができる。例えば、１２０ｍｓ、１５０ｍｓ、２００ｍｓなどというように、主装置１に収容されるコードレス電話装置の台数、各グループを構成するコードレス電話装置の台数、リトライ処理に掛かる時間などを考慮して定めることができる。
【０１００】
そして、図８（Ｂ）に示すように、グループ２においても、コードレス電話装置２３とコードレス電話装置２４は、ほぼ同じタイミングで空きスロットのサーチ処理を実行するので、次の衝突（衝突２）は発生する。しかし、いずれか一方のコードレス電話装置は、空きスロットをトラフィックベアラとして取得できる。例えば、図８（Ｂ）に示すように、コードレス電話装置２３が空きスロットをトラフィックベアラとして取得できたとする。この場合、トラフィックベアラを取得できなかったコードレス電話装置２４はリトライ処理を行うことになるが、空きスロットのサーチ処理を行うのは、コードレス電話装置２４だけであるので、衝突を発生させることなく、即座に空きスロットをトラフィックベアラとして取得できる。
【０１０１】
したがって、図８（Ｂ）に示した例の場合には、空きスロットのサーチ処理において、２回しか衝突を発生させていない。図７の場合に比べて、１回少ない。また、衝突を発生させた後におけるリトライ処理で、リトライ処理を行ったコードレス電話装置でもトラフィックベアラを取得できるので、効率よくトラフィックベアラを取得できる。
【０１０２】
また、コードレス電話装置のグループ分けの利点について、更に考察する。図８（Ｂ）を用いて説明したように、コードレス電話装置２１，２２，２３，２４をグループ１，２に分けた場合であって、図８（Ｃ）に示すように、コードレス電話装置２１が通話に使用されている状態にあるとする。この場合に一斉着信が発生し、最初にグループ１に着信を通知し、１００ｍｓ後にグループ２に着信を通知したとする。
【０１０３】
グループ１において、空きスロットのサーチ処理を行うのは、コードレス電話装置２２だけであるので、サーチ処理における空きスロットの特定の衝突は発生せず、コードレス電話装置２２は即座に空きスロットをトラフィックベアラとして取得できる。その後、グループ２のコードレス電話装置２３，２４に対して着信が通知される。
【０１０４】
グループ２においては、図８（Ｃ）に示すように、コードレス電話装置２３とコードレス電話装置２４は、ほぼ同じタイミングで空きスロットのサーチ処理を実行するので、最初の衝突（衝突１）は発生する。しかし、いずれか一方のコードレス電話装置は、空きスロットをトラフィックベアラとして取得できる。例えば、図８（Ｃ）に示すように、コードレス電話装置２３が空きスロットをトラフィックベアラとして取得できたとする。この場合、トラフィックベアラを取得できなかったコードレス電話装置２４はリトライ処理を行うことになるが、空きスロットのサーチ処理を行うのは、コードレス電話装置２４だけであるので、衝突を発生させることなく、即座に空きスロットをトラフィックベアラとして取得できる。
【０１０５】
したがって、図８（Ｃ）に示した例の場合には、空きスロットのサーチ処理において、１回しか衝突を発生させていない。すなわち、通話に用いられているコードレス電話装置が存在する場合には、より効率的に空きスロットのサーチ処理を行って、トラフィックベアラを取得することができる。
【０１０６】
ここで、図８（Ｂ）を用いて説明した、主装置１に収容されるコードレス電話装置２１，２２，２３，２４を２つのグループに分け、接続タイミングをずらす場合の処理について、図９のシーケンス図を用いて説明する。図９は、図８（Ｂ）で説明した処理のシーケンス図である。
【０１０７】
図９に示すように、主装置１に一斉着信が発生したとする。この例の場合、主装置１の端末管理部としての制御回路１２は、端末管理テーブル部１４の図５（Ｃ）に示した態様の端末グループ管理テーブル１４Ｃの管理情報にしたがって、着信を通知するコードレス電話装置を特定する。図５（Ｃ）に示した例の場合、優先順位の高いグループ１に属するコードレス電話装置は、コードレス電話装置２１，２２である。このため、主装置１の制御回路１２は、まず、コードレス電話装置２１，２２の親機ＢＳ１，ＢＳ２に対して、着信発生を通知するためのＬＥＤの点滅を指示するＬＥＤデータ（着信通知）を送信する。
【０１０８】
コードレス電話装置２１，２２の親機ＢＳ１，ＢＳ２のそれぞれは、主装置１からのＬＥＤデータに応じて、自機の着信通知用のＬＥＤを点滅させる。次に、ＬＥＤデータを受信したコードレス電話装置２１，２２の親機ＢＳ１，ＢＳ２のそれぞれは、対応する自機の子機ＨＳ１，ＨＳ２に対して、ダミーベアラを通じてデータセッション接続要求を送信する。このように、データセッション接続要求を送信するのは、データを送るためにいわゆるデータセッションを張る（接続する）必要があるためである。
【０１０９】
この後、親機ＢＳ１，ＢＳ２のそれぞれは、対応する自機の子機ＨＳ１，ＨＳ２に対して、ダミーベアラを通じて着信発生を通知するためのＬＥＤの点滅を指示するＬＥＤデータ（着信通知）を送信する。これに応じて、子機ＨＳ１，ＨＳ２では、上述したように、スロットのサーチ処理を行って、空きスロットをトラフィックベアラとして取得し、ダミーベアラは解放するマージ処理を行い、自機への着信を開始させる。この場合、子機ＨＳ１，ＨＳ２は、図８（Ｂ）を用いて説明したように、最初のサーチ処理では、いずれか一方の子機しかトラフィックベアラを取得できない。しかし、トラフィックベアラを取得できないかった子機は、リトライ処理により確実にトラフィックベアラを取得できる。このようにして、コードレス電話装置２１，２２では、着信に応答可能な状態が整えられる。
【０１１０】
次に、グループ２に属するコードレス電話装置２３，２４の親機ＢＳ３，ＢＳ４に対してＬＥＤデータ（着信通知）を送信する。グループ２のコードレス電話装置にＬＥＤデータ（着信通知）を送信するタイミングは、図９に示したように、この例では、グループ１に属するコードレス電話装置２１，２２の親機ＢＳ１，ＢＳ２に対してＬＥＤデータ（着信通知）を送信してから、１００ｍｓ後の時点である。
【０１１１】
コードレス電話装置２３，２４の親機ＢＳ１，ＢＳ２のそれぞれは、主装置１からのＬＥＤデータに応じて、自機の着信通知用のＬＥＤを点滅させる。次に、ＬＥＤデータを受信したコードレス電話装置２３，２４の親機ＢＳ３，ＢＳ４のそれぞれは、対応する自機の子機ＨＳ３，ＨＳ４に対して、ダミーベアラを通じてデータセッション接続要求を送信する。
【０１１２】
この後、親機ＢＳ３，ＢＳ４のそれぞれは、対応する自機の子機ＨＳ３，ＨＳ４に対して、ダミーベアラを通じて着信発生を通知するためのＬＥＤの点滅を指示するＬＥＤデータ（着信通知）を送信する。これに応じて、子機ＨＳ３，ＨＳ４では、上述したように、スロットのサーチ処理を行って、空きスロットをトラフィックベアラとして取得し、ダミーベアラは解放するマージ処理を行い、自機への着信を開始させる。この場合、子機ＨＳ３，ＨＳ４は、図８（Ｂ）を用いて説明したように、最初のサーチ処理では、いずれか一方の子機しかトラフィックベアラを取得できない。しかし、トラフィックベアラを取得できないかった子機は、リトライ処理により確実にトラフィックベアラを取得できる。このようにして、コードレス電話装置２３，２４においても、着信に応答可能な状態が整えられる。
【０１１３】
このように、主装置１は、自機に収容された４台のコードレス電話装置２１，２２，２３，２４について、２つのグループに分け、着信の通知タイミングをずらす。これにより、空きスロットのサーチ処理において、同じ空きスロットを取得しようとするコードレス電話装置の衝突を必要最小限に抑え、迅速かつ確実に空きスロットをトラフィックベアラとして取得し、着信に応答可能な状態を整えることができる。そして、着信に応答可能な状態が整えられたコードレス電話装置２１，２２，２３，２４においては、使用者によって着信応答操作（オフフック操作）がされると、取得したトラフィックベアラを通じて、通話回線が接続されて、通話を行うことができるようにされる。
【０１１４】
［コードレス電話装置のグループ分けの具体例］
主装置１においては、図５を用いて説明したように、端末グループ管理テーブル１４Ｃにより、各コードレス電話装置２１，２２，２３，２４がグループ分けされて管理される。この端末グループ管理テーブル１４Ｃは、端末別応答回数テーブル１４Ｂの管理情報に基づいて、適宜のタイミングで更新される。
【０１１５】
すなわち、図１０は、端末グループ管理テーブル１４Ｃの更新処理の具体例について説明するための図である。主装置１においては、一斉着信やグループ着信が発生し、コードレス電話装置で応答操作がなされて通話が行われると、どのコードレス電話装置で応答操作が行われたのかを把握できる。このため、一斉着信やグループ着信が発生し、コードレス電話装置で応答操作がなされて通話が行われるごとに、制御回路１２が端末管理テーブル部１４の端末別応答回数テーブル１４Ｂの該当欄を更新する。
【０１１６】
そして、図１０（Ａ）に示すように、端末別応答回数テーブル１４Ｂにコードレス電話装置２１，２２，２３，２４の応答回数が更新されていたとする。この場合、制御回路１２は、端末別応答回数テーブル１４Ｂの管理データに基づいて、図１０（Ｂ）に示すように、端末グループ管理テーブル１４Ｃにおいて、応答回数の多いコードレス電話装置２２、２３をグループ１に振り分け、応答回数の少ないコードレス電話装置２１，２４をグループ２に振り分ける。
【０１１７】
この後、制御回路１２は、例えば、一斉着信やグループ着信が１０回発生した後の端末別応答回数テーブル１４Ｂに基づいて、端末グループ管理テーブル１４Ｃのグループ分けを見直す。図１０（Ａ）に示した状態から一斉着信やグループ着信が１０回発生した後の端末別応答回数テーブル１４Ｂが図１０（Ｃ）に示す状態に変わっていたとする。この場合、制御回路１２は、図１０（Ｄ）に示すように、端末グループ管理テーブル１４Ｃにおいて、応答回数の多いコードレス電話装置２２，２４をグループ１に振り分け、応答回数の少ないコードレス電話装置２１，２３をグループ２に振り分ける。
【０１１８】
この例の場合、図１０（Ｂ）と図１０（Ｄ）とを比較すると分かるように、コードレス電話装置２３とコードレス電話装置２４のグループ分けが見直されている。このように、端末グループ管理テーブル１４Ｃでのグループ分けを適宜のタイミングで見直すことによって、応答回数が多いコードレス電話装置を優先順位の高いグループに振り分けることができる。したがって、応答回数が多いコードレス電話装置が優先的にトラフィックベアラを取得し、いち早く通話に応答可能な状態を整えることができる。
【０１１９】
なお、ここでは、一斉着信やグループ着信が１０回発生した後に、端末グループ管理テーブルを見直すものとして説明したが、これに限るものではない。一斉着信やグループ着信が２０回発生した後、或いは、３０回発生した後というように、一斉着信やグループ着信の発生回数に応じて端末グループ管理テーブルを見直すタイミングを定めることができる。また、１日１回、２日に１回、毎週水曜日と金曜日、毎月５の付く日などのように、日数、曜日、日にちなどを基準として、端末グループ管理テーブルを見直すタイミングを定めることもできる。
【０１２０】
また、グループごとに属するコードレス電話装置の台数を異ならせることもできる。例えば、電話を受ける担当者が決まっている場合には、その担当者の使用するコードレス電話装置だけを固定的にグループ１に属させ、その他の複数台のコードレス電話装置は、グループ２、グループ３に振り分けるといったことも可能である。
【０１２１】
［主装置１のタイミング制御］
次に、この実施形態の無線通信システムの主装置１で行われる一斉着信時の処理の具体例について、図１１のフローチャートを参照しながら説明する。図１１は、主装置１で実行される一斉着信時の処理について説明するためのフローチャートである。図１１に示すフローチャートの処理は、主装置１に一斉着信が発生した場合に、主装置１の制御回路１２により実行される。
【０１２２】
そして、制御回路１２は、まず、端末管理テーブル部１４の端末動作状態管理テーブル１４Ａを参照し、着信先となる待機状態のコードレス電話装置（端末）が存在するか否かを判別する（ステップＳ１０１）。ステップＳ１０１の判別処理において、例えば全てのコードレス電話装置が使用中（通話中）であるなど、着信先となるコードレス電話装置がないと判断したとする。この場合には、相手先にビジー音を送信するビジー通知処理を実行し（ステップＳ１０２）、発呼元である相手先がオンフックして回線を切断した場合にビジー通知処理を終了して、この図１１に示す処理を終了する。
【０１２３】
ステップＳ１０１の判別処理で着信先があると判別したときには、制御回路１２は、着信を通知するグループを特定する変数（優先順位の変数）Ｐを０（ゼロ）で初期化する（ステップＳ１０３）。なお、優先順位の変数Ｐは、整数であり、グループ１，グループ２の値１又は値２に相当するものである。そして、この実施形態においては、優先順位の変数が小さいほど優先順位は高いものとする。したがって、グループ１はグループ２より優先順位が高く、グループ２はグループ３より優先順位が高いものとなっている。
【０１２４】
ステップＳ１０３の処理の後において、制御回路１２は、端末管理テーブル部１４の端末動作状態管理テーブル１４Ａの情報に基づいて、着信先となるコードレス電話装置は複数存在するか否かを判別する（ステップＳ１０４）。ステップＳ１０４の判別処理において、着信先となるコードレス電話装置は複数存在しない、すなわち、待機中のコードレス電話装置は１台しか存在しないと判別したときには、その待機中の１台のコードレス電話装置だけに着信を通知する（ステップＳ１０５）。
【０１２５】
また、ステップＳ１０４の判別処理において、着信先となるコードレス電話装置が複数存在すると判別したときには、制御回路１２は、優先順位の変数Ｐに値１を加算し（ステップＳ１０６）、端末グループ管理テーブル１４ＣのＰ番目のグループに属するコードレス電話装置（端末）に着信を通知する（ステップＳ１０７）。すなわち、優先順位の変数Ｐが値１である場合には、グループ１に属するコードレス電話装置に対して着信が通知される。そして、ステップＳ１０５とステップＳ１０７の着信通知処理の後においては、制御回路１２は、着信を通知したコードレス電話装置からの着信応答を受け付ける（ステップＳ１０８）。この後、制御回路１２は、着信を通知したコードレス電話装置からの着信応答を受け付けたか否かを判別する（ステップＳ１０９）。
【０１２６】
ステップＳ１０９の判別処理で、着信を通知したコードレス電話装置からの着信応答を受け付けたと判別したとする。この場合、制御回路１２は、回線ＬＳＩ部１３の該当回路を制御して、発呼元と着信応答をしたコードレス電話装置との間に通話回線を接続し、通話を行うことができるようにする（ステップＳ１１０）。この後、発呼元か着信応答をしたコードレス電話装置かがオンフックして通話が終了すると、制御回路１２は、接続していた通話回線を解放するなどの所定の終了処理を実行し（ステップＳ１１１）、この図１１に示す処理を終了する。
【０１２７】
また、ステップＳ１０９の判別処理で、着信を通知したコードレス電話装置からの着信応答は受け付けていないと判別したとする。この場合、制御回路１２は、着信は継続しているか否かを判別し（ステップＳ１１２）、継続していないと判別したときには、ステップＳ１１１の処理に進み、着信を受け付けた通信回線を解放するなど所定の終了処理を実行し（ステップＳ１１１）、この図１１に示す処理を終了する。
【０１２８】
また、ステップＳ１１２の判別処理で、着信は継続していると判別したときには、制御回路１２は、優先順位の変数Ｐが、０（ゼロ）あるいは最後のグループを示す値か否かを判別する（ステップＳ１１３）。ステップＳ１１３の判別処理で、優先順位の変数Ｐは、０（ゼロ）あるいは最後のグループを示す値であると判別したときには、他に着信を通知すべきコードレス電話装置は存在しないので、ステップＳ１０８からの処理を繰り返す。これにより、既に着信を通知しているコードレス電話装置からの着信応答を引き続き受け付けることができる。
【０１２９】
また、ステップＳ１１３の判別処理で、優先順位の変数Ｐは、０（ゼロ）あるいは最後のグループを示す値ではないと判別したときには、着信を通知すべき他のグループが存在しているので、ステップＳ１０４からの処理を繰り返す。これにより、まだ、着信を通知していない優先順位が次のグループにも着信を通知し、着信応答を待つことができるようにされる。
【０１３０】
このようにして、この実施形態の主装置１は、着信を通知するコードレス電話装置をグループ単位に行うようにすることで、同じ空きスロットを複数のコードレス電話装置で取り合うコードレス電話装置の衝突をできるだけ少なくなるようにしている。
【０１３１】
なお、図１１に示した主装置１で行われる一斉着信時の処理の具体例はあくまでも一例であり、コードレス電話装置のグループ単位に着信の通知タイミングをずらすようにする種々の方法を用いることができる。
【０１３２】
また、ここでは、一斉着信の場合の処理について説明したが、いわゆるグループ着信の場合であっても、同様に処理することができる。すなわち、グループ着信の対象となるグループに属する複数のコードレス電話装置について、着信通知を行う複数のグループに分類し、その着信通知を行うグループごとに、着信通知のタイミングをずらすように制御すればよい。
【０１３３】
［実施の形態の効果］
この実施形態の無線通信システムの主装置１は、自機に収容された複数のコードレス電話装置について、グループ化を行い、グループ単位で着信通知を行うようにしている。これにより、空きスロットのサーチ時において、複数のコードレス電話装置が同じ空きスロットを取り合う状態となるコードレス電話装置の衝突を回避し、迅速かつ適切にトラフィックベアラの取得処理を行うことができるようにされる。
【０１３４】
また、上述した実施の形態の無線通信システムにおいて、コードレス電話装置のそれぞれでは、親機と子機との間では最初にダミーベアラを通じて着信通知を受け付けて、トラフィックベアラを取得後にはダミーベアラを解放するスロットのマージ処理を行っている。これにより、解放されたダミーベアラは、空きスロットとすることができるので、限りあるスロットの有効活用が図られ、トラフィックベアラの取得を容易にすることができる。
【０１３５】
しかし、上述したように、トラフィックベアラの取得時には、一時的にダミーベアラとトラフィックベアラとの２つのスロットが使用される。しかし、一斉着信やグループ着信等、複数の無線端末に対して同時に着信通知などのデータ送信を行う場合に、データ送信のタイミングをずらすことで、各コードレス電話装置が行う空きスロットのサーチ処理のタイミングを異ならせ、親機がダミーベアラとトラフィックベアラの２つのスロットを使用している状況を避けることで、空きスロットの取得エラーを防止し、リトライの発生を防止することができる。
【０１３６】
すなわち、コードレス電話装置への着信通知などのデータの送信タイミングを異ならせることで、トラフィックベアラとして取得するスロットが被るコードレス電話装置の衝突を減らすことができる。したがって、スロットの効率的な利用を図るためのマージ処理の効果をより大きくすることができる。
【０１３７】
［変形例など］
なお、この実施形態では、主装置１に収容されやコードレス電話装置は４台であるものとして説明したが、これに限るものではない。主装置１に収容されるコードレス電話装置が２台以上の場合には、この発明を適用することにより、複数のコードレス電話装置が同じ空きスロットを取り合う状態となるコードレス電話装置の衝突を回避し、迅速かつ適切にトラフィックベアラの取得処理を行うことができる。
【０１３８】
また、上述した実施の形態では、主装置１に主要された４台のコードレス電話装置を、２台ずつの２つのグループに分けるものとして説明したが、これに限るものではない。例えば、１台のグループと３台のグループとに分けるというように、グループごとに振り分けるコードレス電話装置の台数を異ならせることもできる。すなわち、優先順位の高いグループに割り当てるコードレス電話装置は少なくし、優先順位の低いグループには優先順位の高いグループに比べて多くのコードレス電話装置を割り当てることができる。このようにすれば、優先順位の高いコードレス電話装置が優先的にトラフィックベアラを取得するようにできる。
【０１３９】
したがって、１つのグループに必ず複数のコードレス電話装置を振り分ける必要はなく、主装置１に収容するコードレス電話装置が少ない場合には、コードレス電話装置単位で、着信を通知するタイミングをずらすようにしてもよい。
【０１４０】
また、上述した実施の形態では、コードレス電話装置ごとの着信に応答した回数に応じて、グループ分けを行うようにしたが、これに限るものではない。例えば、電話に応答する担当者が決まっている場合には、その担当者が用いるコードレス電話装置を優先順位の高いグループに固定的に割り当てることもできる。
【０１４１】
また、主装置１におけるコードレス電話装置のグループ分けに、出退勤データを用いるようにすることもできる。例えば、タイムカード装置と主装置１とを接続し、タイムカード装置からの担当者ごとの打刻データを主装置１に入力できるようにする。主装置１では、自機に収容されたコードレス電話装置のそれぞれについて、どの使用者により使われるのかを登録しておく。そして、出勤時刻が打刻された使用者が使用するコードレス電話装置は優先順位の高いグループに振り分け、出勤時刻が打刻されていない使用者（欠席者）が使用しているコードレス電話装置は優先順位の低いグループに振り分けるといったことができる。また、出退勤データと連動させる場合には、帰宅時刻が打刻された使用者が使用するコードレス電話装置は、優先順位の低いグループに振り分け直すといったことも可能となる。
【０１４２】
また、上述した実施の形態では、主に着信時の処理として説明したが、これに限るものではない。例えば、繁忙期などにおいては、主装置１に収容された複数のコードレス電話装置を用いて、ほぼ同時に電話を掛ける発信（発呼）操作が行われる可能性があると考えられる。この場合、コードレス電話装置の子機に対して発信操作が行われると、子機はダミーベアラを通じて親機に発信要求を送信し、親機は主装置１に対して子機からの発信要求を送出する。
【０１４３】
そこで、主装置１の制御回路１２は、自機に収容された複数のコードレス電話装置から一斉に発信要求を受信した場合には、着信時と同様に、複数のグループに各コードレス電話装置を分け、グループ単位にトラフィックベアラの取得処理を行わせる。このようにすれば、複数のコードレス電話装置において、同時に発信操作がなされたとしても、各コードレス電話装置において、トラフィックベアラを効率よく、かつ、適切に取得することができるようにされる。
【０１４４】
なお、発信時におけるトラフィックベアラの取得処理を効率よく行うために、主装置１の端末管理テーブル部１４に、端末ごとの発信回数を管理する端末別発信回数テーブルを設けておく。そして、端末ごとの発信回数に応じて、発信回数の多いコードレス電話装置は優先順位の高いグループに振り分け、発信回数の少ないコードレス電話装置は優先順位の低いグループに振り分けるようにしてもよい。すなわち、図５（Ｃ）に示した着信通知時用の端末グループ管理テーブル１４Ｃと同様に、発信回数に応じた、発信時用の端末グループ管理テーブルを設け、これに応じて発信時におけるトラフィックベアラの取得処理の開始タイミングを異ならせるように制御できる。
【０１４５】
もちろん、発信時用の端末グループ管理テーブルについても、よく電話を掛けるコードレス電話装置については、固定的に優先順位の高いグループに設定しておくようにすることもできる。すなわち、発信時用の端末グループ管理テーブルについても、着信時用の端末グループ管理テーブルと同様の変形が可能である。
【０１４６】
このように、この出願に係る発明は、一斉着信、グループ着信、一斉発信などの、主装置（上位装置）に収容された複数のコードレス電話装置が、主装置からの指示により一斉にトラフィックベアラを取得する処理を行う種々の場合に適用できる。すなわち、主装置１は、自機に主要された複数のコードレス電話装置に対して、トラフィックベアラの取得を行わせる指示に相当する指示データを送信する場合に、コードレス電話装置ごとに、あるいは、複数のコードレス電話装置を振り分けて形成したグループごとに、当該指示データの送信タイミングをずらすようにする。これにより、トラフィックベアラの効率的な取得が可能となり、コードレス電話装置を通じての通信を、常時、適切かつ確実に行える環境を整えることができる。
【０１４７】
また、上述した実施の形態においては、無線通信システムにおける上位装置（通信管理装置）として主装置であるものとして説明した。しかし、上位装置としては、ＳＩＰサーバなど、無線通信システムにおいて、コードレス電話装置などの端末装置を収容して、通話回線の接続／切断制御などを行う種々の装置が含まれる。
【０１４８】
［その他］
上述した実施の形態からも分かるように、上位装置の記憶手段の機能は、主装置１の端末管理テーブル部１４の端末動作状態管理テーブル１４Ａが実現し、上位装置の判別手段の機能は、主装置１の制御回路１２が実現している。また、上位装置の制御手段の機能は、主装置の制御回路１２が実現している。また、上位装置のグループ記憶手段の機能は、主装置１の端末管理テーブル部１４の端末グループ管理テーブル１４Ｃが実現している。また、上位装置の着信回数記憶手段の機能は、主装置１の端末管理テーブル部１４の端末別応答回数テーブル１４Ｂが実現し、上位装置の更新手段の機能は、主装置１の制御回路１２が実現している。また、上位装置の第２の制御手段の機能は、主装置１の制御回路が実現している。
【０１４９】
また、図１１に示したフローチャートで示した処理が、通信制御方法の一実施の形態に対応している。また、図１１に示したフローチャートの処理を実行するプログラム（ソフトウェア）が、通信制御プログラムの一実施の形態に対応している。
【符号の説明】
【０１５０】
１…主装置、１２…制御回路（端末管理部）、１４…端末管理テーブル部、１４Ａ…端末動作状態管理テーブル、１４Ｂ…端末別応答回数テーブル、１４Ｃ…端末グループ管理テーブル、２１〜２ｎ…コードレス電話装置、ＢＳ１〜ＢＳｎ…親機、ＨＳ１〜ＨＳｎ…子機、４１…制御回路、４２…回線ＬＳＩ部、４３…同期信号発生回路、４４…無線通信回路、４４１…制御部、４４２…ＴＤＭＡ変復調部、４４３…無線通信部、５１…無線通信回路、５２…制御回路、５３…コーデック回路、５１１…制御部、５１２…ＴＤＭＡ変復調部、５１３…無線通信部
【図１】
0006489303.tif 000002
【図２】
0006489303.tif 000003
【図３】
0006489303.tif 000004
【図４】
0006489303.tif 000005
【図５】
0006489303.tif 000006
【図６】
0006489303.tif 000007
【図７】
0006489303.tif 000008
【図８】
0006489303.tif 000009
【図９】
0006489303.tif 000010
【図１０】
0006489303.tif 000011
【図１１】
0006489303.tif 000012
【図１２】
0006489303.tif 000013